【手続補正書】
【提出日】平成16年5月12日(2004.5.12)
【手続補正１】
【補正対象書類名】明細書
【補正対象項目名】特許請求の範囲
【補正方法】変更
【補正の内容】
【特許請求の範囲】
【請求項１】
細長い部品を収容して保護するための被覆において、
その幅を画成する対向する縁端部を各々有する第１及び第２の細長い基板であって、一方の基板の縁端部は、他方の基板の縁端部と対になっており、前記縁端部対の一方は、前記基板の長手方向にフレキシブルに接合されて蝶番を形成し、前記蝶番は、前記第１及び第２基板が互いに角度を成して配向された開位置と、前記第１及び第２基板がほぼ平行に互いに重なる閉位置との間で、枢動可能である前記第１及び第２の細長い基板と、
前記他方の縁端部対に沿って取り付けられた前記第１及び第２基板を前記閉位置に固定するための手段であって、細長い部品は、基板が前記開位置にある時、基板間に収容可能であり、前記閉位置にある時、前記基板間に取り込まれる前記手段と、を含むことを特徴とする被覆。
【請求項２】
請求項１に記載の被覆において、
前記第１基板は、前記第１基板の前記対向する縁端部間において前記被覆の横方向に延在する波形部を有することを特徴とする被覆。
【請求項３】
請求項２に記載の被覆において、
前記第２基板は、前記第２基板の前記対向する縁端部間において前記被覆の横方向に延在する波形部を有することを特徴とする被覆。
【請求項４】
請求項３に記載の被覆において、
前記第１及び第２基板の前記波形部は、交互に繰り返し配置された複数の山部と谷部から構成され、前記第１基板の前記山部は、前記第２基板の前記谷部とほぼ整合し、これによって、前記第１基板の前記山部は、前記基板が前記閉位置にある時、前記第２基板の前記谷部に入り込み得ることを特徴とする被覆。
【請求項５】
請求項３に記載の被覆において、
前記第１及び第２基板の前記波形部は、交互に繰り返し配置された複数の山部と谷部から構成され、前記第１基板の前記山部は、前記第２基板の前記山部とほぼ整合し、また、前記第１基板の前記谷部は、前記第２基板の前記谷部とほぼ整合し、前記山部と谷部は、前記基板が前記閉位置にある時、互いに対向して配置されることを特徴とする被覆。
【請求項６】
請求項４に記載の被覆において、
前記第１及び第２基板は、前記蝶番によって分割される単一平面シート材料から一体成形され、
前記蝶番には、前記薄厚シートの複数の第１領域であってほぼ前記シートの面内に配向された第１薄厚領域と、前記薄厚シートの複数の第２領域であって前記シート面にほぼ直角に配向され又前記シートのそれぞれの接続部によって前記第１及び第２基板に接続された第２薄厚領域と、が含まれており、前記各接続部はほぼ直角に曲げられ、前記接続部の１つは前記各第２薄厚領域のいずれかの側に配置され、前記第１及び第２領域は、前記基板に沿って長手方向に交互に繰返すパターンで配置されることを特徴とする被覆。
【請求項７】
請求項１に記載の被覆において、
前記第１及び第２基板は、単一シート材料から一体成形され、
前記蝶番は、前記第１と第２基板との間に配置された前記薄厚シートの領域を含み、これによって、前記第１及び第２基板の前記縁端部の１つを画成することを特徴とする被覆。
【請求項８】
請求項１に記載の被覆において、
前記固定手段には、前記第１基板の前記他方の縁端部に沿って配置された複数のフック部と、前記第２基板の前記他方の縁端部に沿って配置された複数のループ部とが含まれ、前記フック部は、前記基板が前記閉位置にある時、前記ループ部と噛合可能であり、前記基板を前記閉位置に保持することを特徴とする被覆。
【請求項９】
細長い部品を収容して保護するための被覆において、
単一平面シート材料から一体成形された第１及び第２の細長い基板であって、前記各基板はその幅を画成する対向する縁端部を有し、一方の基板の縁端部は、他方の基板の縁端部と対になっている前記第１及び第２の細長い基板と、
前記縁端部対の一方を前記基板の長手方向にフレキシブルに接合する蝶番であって、前記蝶番は、前記第１及び第２基板が互いに角度を成して配向された開位置と、前記第１及び第２基板がほぼ平行に互いに重なる閉位置との間で、枢動可能であり、前記蝶番には、前記薄厚シートの複数の第１領域であってほぼ前記シートの面内に配向された第１薄厚領域と、前記薄厚シートの複数の第２領域であって前記シート面にほぼ直角に配向され又前記シートのそれぞれの接続部によって前記第１及び第２基板に接続された第２薄厚領域と、が含まれており、前記各接続部はほぼ直角に曲げられ、前記接続部の１つは前記各第２薄厚領域のいずれかの側に配置され、前記第１及び第２領域は、前記基板に沿って長手方向に交互に繰返すパターンで配置されることを特徴とする被覆。
【請求項１０】
請求項９に記載の被覆において、更に、
前記他方の縁端部対に沿って取り付けられた前記第１及び第２基板を前記閉位置に固定するための手段であって、細長い部品は、基板が前記開位置にある時、基板間に収容可能であり、前記閉位置にある時、前記基板間に取り込まれる前記手段が含まれることを特徴とする被覆。
【請求項１１】
請求項１０に記載の被覆において、
前記第１及び第２基板は、前記基板の前記対向する縁端部間において前記被覆の横方向に延在する波形部を有することを特徴とする被覆。
【請求項１２】
請求項１１に記載の被覆において、
前記波形部は、交互に繰り返し配置された複数の山部と谷部から構成され、前記第１基板の前記山部は、前記第２基板の前記谷部とほぼ整合し、これによって、前記第１基板の前記山部は、前記基板が前記閉位置にある時、前記第２基板の前記谷部に入り込み得ることを特徴とする被覆。
【請求項１３】
２つの基板間に配置可能な可撓性蝶番において、
前記基板は、前記蝶番を中心にして互いに対して枢動可能であり、前記蝶番には、ほぼ前記シートの面内に配向される複数の第１薄厚領域と、前記シート面にほぼ直角に配向され又ほぼ直角に曲げられる前記シートのそれぞれの接続部に形成される複数の第２薄厚領域と、に形成される可撓性シート材料が含まれ、前記接続部の１つは前記各第２薄厚領域のいずれかの側に配置され、前記第１及び第２領域は、前記基板に沿って長手方向に交互に繰返すパターンで配置され、前記第１及び第２薄厚領域の薄くなった厚みにより、前記シート材料は、簡単に曲がることによって前記蝶番を形成することを特徴とする被覆。
【請求項１４】
請求項１３に記載の蝶番において、
前記第１及び第２薄厚領域は、前記基板に沿って長手方向に延在する第１軸に沿って整合され、また、前記第２薄厚領域は、前記基板に沿って長手方向に延在する第２軸に沿って整合され、前記第２軸は、前記第１軸からずれていることを特徴とする蝶番。
【請求項１５】
請求項１３に記載の蝶番において、
前記シート材料は、熱可塑性材料から構成されることを特徴とする蝶番。
【請求項１６】
２つの基板の間に可撓性蝶番を形成するための装置において、前記蝶番により前記基板は互いに対して枢動可能であり、前記蝶番と前記基板は、所定の形状に成形可能な可撓性シート材料から構成される前記装置であって、
歯車歯を有して第１軸を中心に回転可能な第１歯車と、
歯車歯を有して、第２軸を中心に回転可能な第２歯車であって、前記第２軸は、前記第１及び第２歯車の歯車歯が噛み合うように、前記第１軸に対してほぼ平行に間隔を空けて配置される前記第２歯車と、
歯車歯を有し、前記第１歯車に対して固定された状態で、前記第１軸を中心に回転可能な第３歯車であって、前記第１歯車に隣接して配置される前記第３歯車と、
歯車歯を有し、前記第２歯車に対して固定された状態で、前記第２軸を中心に回転可能な第４歯車であって、前記第４歯車の前記歯車歯は前記第３歯車の前記歯車歯と噛み合い、前記第４歯車は前記第２歯車に隣接して配置される前記第４歯車と、を含み、
前記第１歯車の前記歯車歯は、前記第３歯車の前記歯車歯間の空間に隣接するそれぞれの位置において整合され、前記第２歯車の前記歯車歯は、前記第４歯車の前記歯車歯間の空間に隣接するそれぞれの位置において整合されることを特徴とする装置。
【請求項１７】
請求項１６に記載の装置において、
前記第１及び第４歯車の前記歯車歯は、前記歯車が回転する際、互いに重なり合う位置関係に移動したり前記位置関係から移動したりするそれぞれの傾斜面を各々有し、前記各傾斜面は、整合されると、第１間隙によって分離され、
シート材料は、前記第１、第２、第３、及び第４歯車の前記噛み合い歯の間に供給可能であり、これによって、前記歯車歯の形状に合うように変形され、前記シート材料が前記第１間隙を通過する際、前記第１及び前記第４歯車の前記傾斜面は、前記シート材料に沿って、離れた間隔で、複数の第１薄厚領域を形成し、前記第１薄厚領域は、前記蝶番を画成し、また前記シート材料を前記基板に分割することを特徴とする装置。
【請求項１８】
請求項１７に記載の装置において、
前記第２及び第３歯車の前記歯車歯は、前記歯車が回転する際、互いに重なり合う位置関係に移動したり前記位置関係から移動したりするそれぞれの面を各々有し、前記側面は、第２間隙によって分離され、前記第２及び第３歯車の前記歯車歯は、各々、互いにずれた放射状に外向きの面を有し、シート材料は、前記第１、第２、第３、及び第４歯車の前記噛み合い歯の間に供給可能であり、これによって、前記歯車歯の形状に合うように変形され、前記シート材料が前記第２間隙を通過する際、前記第２及び前記第３歯車の前記側面は、前記シート材料に沿って、離れた間隔で、複数の第２薄厚領域を形成し、前記第２薄厚領域は、前記第１薄厚領域間に点在し、前記対向面及び前記歯は、第１及び第２のほぼ直角な曲げで前記シート材料を曲げ、また、前記シート材料にほぼ垂直に前記第２薄厚領域を配向し、前記第２薄厚領域もまた前記蝶番を画成し、また前記シート材料を前記基板に分割することを特徴とする装置。
【請求項１９】
請求項１８に記載の装置において、
前記側面間の前記第２間隙は、前記第２回転軸に沿う方向に、前記傾斜面間の前記第１間隙からずれていることを特徴とする装置。
【請求項２０】
２つの基板間に配置可能な可撓性蝶番を形成する方法において、前記蝶番により、前記基板は、互いに対して枢動可能である前記方法であって、
成形可能な材料の可撓性シートを提供する段階と、
前記シート材料に沿って、離れた間隔で、複数の第１薄厚領域を形成する段階であって、前記第１領域は、前記シート材料面内にほぼ配置される前記段階と、
前記第１領域で交互に繰返される前記シート材料に沿って、離れた間隔で、複数の第２薄厚領域を形成する段階であって、前記第２薄厚領域は、前記第１領域と交互に繰返し又前記シート材料面にほぼ垂直に配向される前記段階と、
各第２薄厚領域の一方側で、第１及び第２のほぼ直角の曲げで前記シート材料を曲げる段階であって、前記第１及び第２領域は、前記蝶番を画成する前記段階と、が含まれることを特徴とする方法。
【請求項２１】
請求項２０に記載の方法において、
前記シートは、所定の温度に加熱すると所定の形状に成形可能であり又冷却すると前記形状を保つ材料から構成されることを特徴とする方法。
【請求項２２】
請求項２１に記載の方法において、更に、
前記形成段階の前に、前記シート材料を前記所定の温度に加熱する段階と、
前記シート材料を冷却して前記第１及び第２薄厚領域と前記シート材料における前記直角な曲げ部とを固定する段階と、が含まれることを特徴とする方法。
【請求項２３】
細長い部品を収容して保護するための被覆において、
単一平面シート材料から一体成形された第１及び第２の細長い基板であって、その各々が、その幅を画成する対向する縁端部を有し、一方の基板の縁端部は、他方の基板の縁端部と対になっており、前記第１及び第２基板の前記対向する縁端部間において前記被覆の横方向に延在する波形部を有する前記第１及び第２の細長い基板と、
前記両基板の長手方向に前記縁端部対の一方をフレキシブルに接合する蝶番であって、これにより、前記両基板は、前記第１及び第２基板が互いに角度を成して配向された開位置と、前記第１及び第２基板がほぼ平行に互いに重なる閉位置との間で、枢動可能であり、そして前記両基板の厚さよりも薄い厚さを有して前記両基板間に位置付けられる前記平面シート材料の部分を備える前記蝶番と、
を含むことを特徴とする被覆。
【請求項２４】
請求項２３に記載の被覆において、
前記他方の縁端部対に沿って取り付けられた前記第１及び第２基板を前記閉位置に固定するための手段であって、細長い部品は、基板が前記開位置にある時、基板間に収容可能であり、前記閉位置にある時、前記基板間に取り込まれる前記手段、をさらに含むことを特徴とする被覆。
【請求項２５】
請求項２３に記載の被覆において、
前記波形部は、交互に繰り返し配置された複数の山部と谷部から構成され、前記第１基板の前記山部は、前記第２基板の前記谷部とほぼ整合し、これによって、前記第１基板の前記山部は、前記基板が前記閉位置にある時、前記第２基板の前記谷部に入り込み得ることを特徴とする被覆。
【請求項２６】
請求項２４に記載の被覆において、
前記固定手段には、前記第１基板の前記他方の縁端部に沿って配置された複数のフック部と、前記第２基板の前記他方の縁端部に沿って配置された複数のループ部とが含まれ、前記フック部は、前記基板が前記閉位置にある時、前記ループ部と噛合可能であり、前記基板を前記閉位置に保持することを特徴とする被覆。
【請求項２７】
請求項２３に記載の被覆において、
前記シート材料は、熱可塑性材料から構成されることを特徴とする被覆。
【請求項２８】
請求項２３に記載の被覆において、
前記細長い部品は、電気配線から構成されることを特徴とする被覆。
【請求項２９】
請求項１に記載の被覆において、前記細長い部品は、電気配線から構成されることを特徴とする被覆。